(57)【特許請求の範囲】
【請求項１】
空気の溶解した空気溶解液体又は高圧液体を導入する液体導入室、前記空気溶解液体を浴槽に噴出して微細気泡を発生する微細気泡ノズル、及び前記高圧液体を前記浴槽に噴出するジェットノズルを備え、
前記微細気泡ノズルを閉塞して前記ジェットノズルを前記液体導入室に連通する第１開閉位置、又は前記ジェットノズルを閉塞して前記微細気泡ノズルを前記液体導入室に連通する第２開閉位置に切換える複合ノズルユニットであって、
前記液体導入室、前記微細気泡ノズル及び前記ジェットノズルを一体に有し、前記浴槽に取付けられるユニット本体と、
前記浴槽内に配置される操作ハンドルと、
前記各ノズル内側に形成され前記液体導入室に開口するノズル弁座、及び前記液体導入室に配置される切換弁体を有するノズル切換弁と、を備え、
前記切換弁体は、
前記操作ハンドルの操作に基づいて、前記第１開閉位置又は前記第２開閉位置に切換えられ、
前記第１開閉位置において、前記液体導入室から前記微細気泡ノズルのノズル弁座に当接され、前記微細気泡ノズルを前記液体導入室から閉塞し、
前記第２開閉位置において、前記液体導入室から前記ジェットノズルのノズル弁座に当接され、前記ジェットノズルを前記液体導入室から閉塞する
ことを特徴とする複合ノズルユニット。
【請求項２】
前記ユニット本体は、
液体吸込流路を一体に有し、前記液体吸込流路を通して前記浴槽の液体を排出する
ことを特徴とする請求項１に記載の複合ノズルユニット。
【請求項３】
液体を貯留する浴槽と、
空気の溶解した空気溶解液体又は高圧液体を導入する液体導入室、前記空気溶解液体を前記浴槽に噴出して微細気泡を発生する微細気泡ノズル、前記高圧液体を前記浴槽に噴出するジェットノズル及び液体吸込流路を備え、前記微細気泡ノズルを閉塞して前記ジェットノズルを前記液体導入室に連通する第１開閉位置、又は前記ジェットノズルを閉塞して前記微細気泡ノズルを前記液体導入室に連通する第２開閉位置に切換える複合ノズルユニットと、
前記複合ノズルユニットの前記液体吸込流路に連結される液体吸込管路と、
前記複合ノズルユニットの前記液体導入室に連結される液体導入管路と、
前記液体吸込管路の分岐点から分岐され、前記液体導入管路の合流点に連結される第１分岐循環管路と、
前記液体吸込管路の前記分岐点から分岐され、前記液体導入管路の前記合流点に連結される第２分岐循環管路と、
前記液体吸込管路に配置され、前記液体吸込流路及び前記液体吸込管路を通して前記浴槽の液体を吸入し、前記液体吸込管路の前記分岐点側に高圧液体を吐出する循環ポンプと、
前記第２分岐循環管路に配置され、空気を前記高圧液体に溶解する気液溶解タンクと、
前記液体吸込管路の前記分岐点に配置され、前記液体吸込管路及び前記第１分岐循環管路の連結、又は前記液体吸込管路及び前記第２分岐循環管路の連結に切換える第１方向切換弁と、
前記液体導入管路の前記合流点に配置され、前記第１分岐循環管路及び前記液体導入管路の連結、又は前記第２分岐循環管路及び前記液体導入管路の連結に切換える第２方向切換弁と、
前記第１及び第２方向切換弁の切換え及び前記循環ポンプの駆動を制御して、微細気泡モード又はジェットモードを実行する制御装置を、含んで構成され、
前記制御装置は、前記微細気泡モードにおいて、前記循環ポンプを駆動すると共に、前記第１及び第２方向切換弁の切換えを制御して、前記液体吸込流路、第２分岐循環管路及び前記液体導入管路を相互に連結し、前記ジェットモードにおいて、前記循環ポンプを駆動すると共に、前記第１及び前記第２方向切換弁の切換えを制御して、前記液体吸込管路、第１分岐循環管路及び前記液体導入管路を相互に連結する浴槽システムであって、
前記複合ノズルユニットは、
前記液体導入室、前記微細気泡ノズル、前記ジェットノズル及び前記液体吸込流路を一体に有し、前記浴槽に取付けられるユニット本体と、
前記浴槽内に配置される操作ハンドルと、
前記各ノズル内側に形成され前記液体導入室に開口するノズル弁座、及び前記液体導入室に配置される切換弁体を有するノズル切換弁を、備え、
前記切換弁体は、
前記操作ハンドルの操作に基づいて、前記第１開閉位置又は前記第２開閉位置に切換えられ、
前記第１開閉位置において、前記液体導入室から前記微細気泡ノズルのノズル弁座に当接され、前記微細気泡ノズルを前記液体導入室から閉塞し、
前記第２開閉位置において、前記液体導入室から前記ジェットノズルのノズル弁座に当接され、前記ジェットノズルを前記液体導入室から閉塞する
ことを特徴とする浴槽システム。
【発明の詳細な説明】
【技術分野】
【０００１】
本発明は、空気の溶解する空気溶解液体（高圧の空気溶解液体）又は高圧液体を浴槽に噴出する複合ノズルユニット、及び複合ノズルユニットを備える浴槽システムに関する。
【背景技術】
【０００２】
微細気泡液体又は高圧液体を浴槽内に噴出する技術として、特許文献１は、ジェットノズル、微細気泡ノズル、取出し口、循環ポンプ及び気液混合タンク等を備える浴槽システムを開示する。
特許文献１の浴槽システムでは、循環ポンプを駆動すると、循環ポンプは取出し口、循環経路を通して浴槽の液体（湯、水）を吸入して、高圧液体を循環経路下流に吐出する。循環ポンプから吐出された高圧液体は、循環流路を通してジェットノズルに導入され、ジェットノズルは高圧液体を浴槽に噴出する。また、循環ポンプから吐出された高圧液体は、気液混合タンクに導入され、気液混合タンクで空気を高圧液体に溶解して、空気溶解液体を生成する。空気溶解液体は循環経路を通して微細気泡ノズルに導入され、微細気泡ノズルは空気溶解液体を浴槽に噴出して浴槽内で微細気泡を発生させる。
【０００３】
しかしながら、特許文献１では、ジェットノズル、微細気泡ノズルを別体とし、別々に浴槽に設置しているので、設置工数が多くなる。
【先行技術文献】
【特許文献】
【０００４】
【特許文献１】特開２００２−３３０８８５号公報
【発明の概要】
【発明が解決しようとする課題】
【０００５】
本発明は、微細気泡ノズル及びジェットノズルの浴槽に対する設置工数を低減できる複合ノズルユニット、及び浴槽システムを提供することにある。
また、本発明は、ユニット本体に微細気泡ノズル及びジェットノズルを一体に有し、ノズル切換弁で微細気泡ノズル又はジェットノズルの一方側を液体導入室から閉塞し、他方側を液体導入室に連通することで、確実に高圧液体又は空気溶解液体（微細気泡）を浴槽に噴出できる複合ノズルユニット、及び浴槽システムを提供することにある。
【課題を解決するための手段】
【０００６】
本発明に係る請求項１は、空気の溶解した空気溶解液体又は高圧液体を導入する液体導入室、前記空気溶解液体を浴槽に噴出して微細気泡を発生する微細気泡ノズル、及び前記高圧液体を前記浴槽に噴出するジェットノズルを備え、前記微細気泡ノズルを閉塞して前記ジェットノズルを前記液体導入室に連通する第１開閉位置、又は前記ジェットノズルを閉塞して前記微細気泡ノズルを前記液体導入室に連通する第２開閉位置に切換える複合ノズルユニットであって、前記液体導入室、前記微細気泡ノズル及び前記ジェットノズルを一体に有し、前記浴槽に取付けられるユニット本体と、前記浴槽内に配置される操作ハンドルと、前記各ノズル内側に形成され前記液体導入室に開口するノズル弁座、及び前記液体導入室に配置される切換弁体を有するノズル切換弁と、を備え、前記切換弁体は、前記操作ハンドルの操作に基づいて、前記第１開閉位置又は前記第２開閉位置に切換えられ、前記第１開閉位置において、前記液体導入室から前記微細気泡ノズルのノズル弁座に当接され、前記微細気泡ノズルを前記液体導入室から閉塞し、前記第２開閉位置において、前記液体導入室から前記ジェットノズルのノズル弁座に当接され、前記ジェットノズルを前記液体導入室から閉塞することを特徴とする複合ノズルユニットに関する。
【０００７】
本発明に係る請求項２は、前記ユニット本体は、液体吸込流路を一体に有し、前記液体吸込流路を通して前記浴槽の液体を排出することを特徴とする請求項１に記載の複合ノズルユニットに関する。
【０００８】
本発明に係る請求項３は、液体を貯留する浴槽と、空気の溶解した空気溶解液体又は高圧液体を導入する液体導入室、前記空気溶解液体を前記浴槽に噴出して微細気泡を発生する微細気泡ノズル、前記高圧液体を前記浴槽に噴出するジェットノズル及び液体吸込流路を備え、前記微細気泡ノズルを閉塞して前記ジェットノズルを前記液体導入室に連通する第１開閉位置、又は前記ジェットノズルを閉塞して前記微細気泡ノズルを前記液体導入室に連通する第２開閉位置に切換える複合ノズルユニットと、前記複合ノズルユニットの前記液体吸込流路に連結される液体吸込管路と、前記複合ノズルユニットの前記液体導入室に連結される液体導入管路と、前記液体吸込管路の分岐点から分岐され、前記液体導入管路の合流点に連結される第１分岐循環管路と、前記液体吸込管路の前記分岐点から分岐され、前記液体導入管路の前記合流点に連結される第２分岐循環管路と、前記液体吸込管路に配置され、前記液体吸込流路及び前記液体吸込管路を通して前記浴槽の液体を吸入し、前記液体吸込管路の前記分岐点側に高圧液体を吐出する循環ポンプと、前記第２分岐循環管路に配置され、空気を前記高圧液体に溶解する気液溶解タンクと、前記液体吸込管路の前記分岐点に配置され、前記液体吸込管路及び前記第１分岐循環管路の連結、又は前記液体吸込管路及び前記第２分岐循環管路の連結に切換える第１方向切換弁と、前記液体導入管路の前記合流点に配置され、前記第１分岐循環管路及び前記液体導入管路の連結、又は前記第２分岐循環管路及び前記液体導入管路の連結に切換える第２方向切換弁と、前記第１及び第２方向切換弁の切換え及び前記循環ポンプの駆動を制御して、微細気泡モード又はジェットモードを実行する制御装置を、含んで構成され、前記制御装置は、前記微細気泡モードにおいて、前記循環ポンプを駆動すると共に、前記第１及び第２方向切換弁の切換えを制御して、前記液体吸込管路、前記第２分岐循環管路及び前記液体導入管路を相互に連結し、前記ジェットモードにおいて、前記循環ポンプを駆動すると共に、前記第１及び第２方向切換弁の切換えを制御して、前記液体吸込管路、前記第１分岐循環管路及び前記液体導入管路を相互に連結する浴槽システムであって、前記複合ノズルユニットは、前記液体導入室、前記微細気泡ノズル、前記ジェットノズル及び前記液体吸込流路を一体に有し、前記浴槽の取付けられるユニット本体と、前記浴槽内に配置される操作ハンドルと、前記各ノズル内側に形成され前記液体導入室に開口するノズル弁座、及び前記液体導入室に配置される切換弁体を有するノズル切換弁を、備え、前記切換弁体は、前記操作ハンドルの操作に基づいて、前記第１開閉位置又は前記第２開閉位置に切換えられ、前記第１開閉位置において、前記液体導入室から前記微細気泡ノズルのノズル弁座に当接され、前記微細気泡ノズルを前記液体導入室から閉塞し、前記第２開閉位置において、前記液体導入室から前記ジェットノズルのノズル弁座に当接され、前記ジェットノズルを前記液体導入室から閉塞することを特徴とする浴槽システムに関する。
【発明の効果】
【０００９】
本発明に係る請求項１では、ユニット本体は、微細気泡ノズル及びジェットノズルを一体に有するので、各ノズルを別々に浴槽に取付ける必要がなく、ユニット本体を浴槽に取付けるだけで、各ノズルを浴槽に設置できる。これにより、微細気泡ノズル及びジェットノズルを浴槽に取付ける設置工数を低減できる。
本発明に係る請求項１では、操作バンドルを操作して、ノズル切換弁の切換弁体を第１開閉位置又は第２開閉位置に切換えることで、第１開閉位置において、微細気泡ノズルを液体導入室から閉塞し、ジェットノズルを液体導入室に連通できる。第２開閉位置において、ジェットノズルを液体導入室から閉塞し、微細気泡ノズルを液体導入室に連通できる。第１開閉位置において、液体導入室に導入した高圧液体はジェットノズルに流入し、ジェットノズルは高圧液体を浴槽に噴出する。第２開閉位置において、液体導入室に導入した空気溶解液体は微細気泡ノズルに流入し、微細気泡ノズルは空気溶解液体を浴槽に噴出して浴槽の液体内で微細気泡を発生する。
切換弁体は、第１開閉位置において、高圧液体の流れ方向（液体導入室からジェットノズルに流れる方向）である液体導入室から微細気泡ノズルのノズル弁座に当接され、第２開閉位置において、空気溶解液体の流れ方向（液体導入室から微細気泡ノズルに流れる方向）である液体導入室からジェットノズルのノズル弁座に当接され、高圧液体又は空気溶解液体の流れの影響を低減できる。これにより、切換弁体は、第１又は第２開閉位置で各ノズルのノズル弁座から離間（開弁）することなく、各ノズルを液体導入室から確実に閉塞する。
【００１０】
本発明に係る請求項２では、ユニット本体は、液体吸込流路を一体に有するので、別途、浴槽に液体吸込流路を連結する必要がない。
【００１１】
本発明に係る請求項３では、ユニット本体は、微細気泡ノズル、ジェットノズル及び液体吸込流路を一体に有するので、各ノズル及び液体吸込流路を別々に浴槽に取付ける必要がなく、ユニット本体を浴槽に取付けるだけで、各ノズル及び液体吸込流路を浴槽に設置できる。これにより、各ノズル及び液体吸込流路を浴槽に取付ける設置工数を低減できる。
本発明に係る請求項３では、微細気泡モードにおいて、循環ポンプを駆動すると、循環ポンプは、複合ノズルユニットの液体吸込流路、及び液体吸込管路を通して浴槽の液体を吸入し、高圧液体を液体吸込管路の分岐点側（液体吸込管路の下流側）に吐出する。循環ポンプから吐出された高圧液体は、液体吸込管路及び第２分岐循環管路を通して気液溶解タンクに導入される。気液溶解タンクは、空気を高圧液体に溶解して、空気溶解液体を生成する。空気溶解液体は、気液溶解タンクから第２分岐循環管路及び液体導入管路を通して、複合ノズルユニットの液体導入室に導入される。入浴者は、操作ハンドルを操作して、切換弁体を第２開閉位置に切換える。液体導入室に導入された空気溶解空気は、微細気泡ノズルに流入する。このとき、第２開閉位置において、切換弁体は、空気溶解液体の流れ方向（液体導入室から微細気泡ノズルに流れる方向）である液体導入室からジェットノズルのノズル弁座に当接されるので、ジェットノズルのノズル弁座から離間することなく、ジェットノズルを確実に液体導入室から閉塞できる。これにより、液体導入室に導入された空気溶解液体は、ジェットノズルに流入することなく、微細気泡ノズルに流入して、微細気泡ノズルで空気溶解液体を浴槽に噴出して微細気泡を発生させることができる。
一方、ジェットモードにおいて、循環ポンプを駆動すると、循環ポンプは、複合ノズルユニットの液体吸込流路、及び液体吸込管路を通して浴槽の液体を吸入し、高圧液体を液体吸込管路の分岐点側（液体吸込管路の下流側）に吐出する。循環ポンプから吐出された高圧液体は、液体吸込管路、第１分岐循環管路及び液体導入管路を通して、複合ノズルユニットの液体導入室に導入される。入浴者は、操作ハンドルを操作して、切換弁体を第１開閉位置に切換える。液体導入室に導入された高圧液体は、ジェットノズルに流入する。このとき、第１開閉位置において、切換弁体は、高圧液体の流れ方向（液体導入室からジェットノズルに流れる方向）である液体導入室から微細気泡ノズルのノズル弁座に当接されるので、微細気泡ノズルのノズル弁座から離間することなく、微細気泡ノズルを確実に液体導入室から閉塞できる。これにより、液体導入室に導入された高圧液体は、微細気泡ノズルに流入することなく、ジェットノズルに流入して、ジェットズルで高圧液体を浴槽に噴出させることができる。
【図面の簡単な説明】
【００１２】
【図１】複合ノズルユニットの斜視図である。
【図２】複合ノズルユニットの分解斜視図である。
【図３】複合ノズルユニットの上面図である。
【図４】複合ノズルユニットの側面図である。
【図５】複合ノズルユニットの断面図であって、図３のＡ−Ａ拡大断面図である。
【図６】複合ノズルユニットの断面図であって、図３のＢ−Ｂ拡大断面図である。
【図７】ユニット本体を構成するユニット固定座であって、（ａ）は上面図、（ｂ）は側面図、（ｃ）は図７（ａ）のＣ−Ｃ断面図である。
【図８】ユニット本体を構成するユニット固定ナットであって、（ａ）は上面図、（ｂ）は側面図、（ｃ）は図８（ａ）のＤ−Ｄ断面図である。
【図９】ユニット本体を構成するノズルユニット体であって、（ａ）は上面図、（ｂ）は側面図、（ｃ）は底面図である。
【図１０】ユニット本体を構成するノズルユニット体であって、（ａ）は図９（ａ）のＥ−Ｅ断面図、（ｂ）は図９（ａ）のＦ−Ｆ断面図である。
【図１１】ユニット本体を構成する押えナットであって、（ａ）は上面図、（ｂ）は側面図、（ｃ）は図１１（ａ）のＧ−Ｇ断面図である。
【図１２】ノズル切換弁を構成する切換弁体であって、（ａ）は上面図、（ｂ）は図１２（ａ）のＨ−Ｈ一部断面図、（ｃ）は底面図である。
【図１３】ノズル切換弁を構成する切換弁ボルダ、及び弁回動軸であって、（ａ）は上面図、（ｂ）は側面図、（ｃ）は底面図である。
【図１４】ノズル切換弁を構成する切換弁ホルダ、及び弁回動軸であって、（ａ）は一部断面の側面図、（ｂ）は図１４（ａ）のＪ−Ｊ断面図である。
【図１５】操作ハンドルであって、（ａ）は上面図、（ｂ）は側面図、（ｃ）は低面図である。
【図１６】操作ハンドルであって、図１５（ａ）のＫ−Ｋ断面図である。
【図１７】ノズル切換弁、弁回動軸及びノズルユニット体であって、（ａ）は弁回動軸をノズルユニット本体に挿入する断面図、（ｂ）はノズル切換弁及び弁回動軸をノズルユニット体に組付けた断面図である。
【図１８】ノズル切換弁、弁回動軸、ノズルユニット体及びユニット固定ナットであって、（ａ）はノズル切換弁及び弁回動軸を組付けたノズルユニット体をユニット固定ナット内に装着する断面図、（ｂ）はノズル・弁組立体の断面図である。
【図１９】複合ノズルユニット及び浴槽であって、（ａ）ユニット固定座及びノズル・弁組立体を浴槽内外に配置した断面図、（ｂ）はノズル・弁組立体をユニット固定座に装着して、浴槽の取付けた断面図である。
【図２０】浴槽に取付けたユニット固定座、及びノズル・弁組立体に対し、操作ハンドルを取付けた断面図である。
【図２１】複合ノズルユニットを浴槽に取付けた斜視図である。
【図２２】ノズル切換弁を構成する切換弁体を第１開閉位置に切換えた状態であって、（ａ）は底側模式面、（ｂ）は拡大一部断面模式図である。
【図２３】ノズル切換弁を構成する切換弁体を第１又は第２開閉位置から離間した状態であって、（ａ）は底側模式面、（ｂ）は拡大模式図である。
【図２４】ノズル切換弁を構成する切換弁体を第２開閉位置に切換えた状態であって、（ａ）は底側模式面、（ｂ）は拡大一部断面模式図である。
【図２５】操作ハンドルであって、（ａ）は第１開閉位置における上面図、（ｂ）は第２開閉位置における上面図である。
【図２６】浴槽システムの構成図である。
【発明を実施するための形態】
【００１３】
本発明に係る複合ノズルユニット、及び浴槽システムについて、図１乃至図２６を参照して説明する。
【００１４】
＜複合ノズルユニット＞
以下、複合ノズルユニットについて、図１乃至図２５を参照して説明する。
【００１５】
図１乃至図２５において、複合ノズルユニットＸは、液体（湯、水等）を貯留する浴槽Ｙに配置される。
複合ノズルユニットＸは、空気の溶解した空気溶解液体（高圧の空気溶解液体）又は空気の溶解しない高圧液体を浴槽Ｙに噴出し、浴槽Ｙの液体を吸込んで排水（取出）する。
複合ノズルユニットＸは、図1乃至図６に示すように、液体導入室６、微細気泡ノズル７及びジェットノズル８を備えている。液体導入室６は、空気溶解液体又は高圧液体を導入する。微細気泡ノズル７は、空気溶解液体を浴槽Ｙに噴出して浴槽Ｙの液体内に微細気泡（例えば、３０μｍ〜５０μｍの気泡）を発生する。ジェットノズル８は、高圧液体を浴槽Ｙに噴出する。
複合ノズルユニットＸは、第１開閉位置（図２２参照）及び第２開閉位置（図５、図２４参照）に切換える。第１開閉位置Ｐ１は、微細気泡ノズル７を閉塞してジェットノズル８を液体導入室６に連通する位置である。第２開閉位置Ｐ２は、ジェットノズル８を閉塞して微細気泡ノズル７を液体導入室６に連通する位置である。
複合ノズルユニットＸは、図１乃至図２５に示すように、ユニット本体１、ノズル切換弁２、弁回動軸３及び操作ハンドル５と、を含んで構成される。
【００１６】
＜ユニット本体＞
ユニット本体１は、図１乃至図１１に示すように、液体導入室６、微細気泡ノズル７、ジェットノズル８及び液体吸込流路９を一体に有し、浴槽Ｙに取付けられる。液体吸込流路９は、浴槽Ｙから液体が流入されて、ユニット本体１外に排出する。
ユニット本体１は、図１乃至図１１に示すように、ユニット固定座１０、ユニット固定ナット１１、ノズルユニット体１２及び押えナット１３を主要部品として構成される。
【００１７】
ユニット固定座１０は、図１乃至図７に示すように、固定円筒部１４、固定底部１５及び固定フランジ部１６を有し、これら部材を一体形成してなる。
固定底部１５は、固定円筒部１４一端開口を閉塞している。これにより、ユニット固定座１０は、固定円筒部１４及び固定底部１５で液体凹所１７を形成する。液体凹所１７は、固定円筒部１４他端に開口している。
固定フランジ部１６は、固定円筒部１４他端開口側に位置して、固定円筒部１４に一体形成される。固定フランジ部１６は、固定円筒部１４の中心線に直交する方向Ｅ（以下、「直交方向Ｅ」という。）において、固定円筒部１４周外方に突出している。
【００１８】
ユニット固定座１０は、図１乃至図７に示すように、液体導入ボス１８、液体排水ボス１９及び第１液体吸込管２０を有する。
液体導入ボス１８は、固定底部１５側に位置して、固定円筒部１４に一体形成される。液体導入ボス１８は、直交方向Ｅにおいて、固定円筒部１４の中心線に直交する交線に沿って配置され、固定円筒部１４周外向に突出している。液体導入ボス１８は、液体挿入流路２１を有し、液体導入流路２１は液体凹所１７内に連通される。液体導入流路２１は、直交方向Ｅで液体導入ボス１８を挿通（貫通）している。液体導入流路２１は、中心線を交線上に位置して配置される（図７参照）。
液体排水ボス１９は、固定底部１５側に位置して、固定円筒部１４に一体形成される。液体排水ボス１９は、液体凹所１７内に配置される。液体排水ボス１９は、直交方向Ｅにおいて、液体凹所１７から固定円筒部１４を挿通（貫通）して固定円筒部１４周外向に突出している。液体排水ボス１９は、液体導入ボス１８に対し、固定円筒部１４の中心線周りに角度１８０度を隔てて位置して、交線上に沿って配置される。
液体排水ボス１９は、液体排水流路２２を有し、液体排水流路２２は液体凹所１７内及びユニット固定座１０外に開口している。液体排水流路２２は、中心線を交差上に位置して配置される（図７参照）。
第１液体吸込管２０は、液体凹所１７内に配置され、液体排水ボス１９に取付けられる。第１液体吸込管２０は、液体排水流路２１に連通され、固定円筒部１４の中心線方向Ｆ（以下、「中心線方向Ｆ」という。）において、液体凹所１７内に延びている。
第１液体吸込管２０は、中心線を交線上に位置して、固定円筒部１４の中心線から間隔Ｂを隔てて配置される（図７参照）。
【００１９】
ユニット固定座１０は、図２乃至図７に示すように、空気吸込穴２３及び内ネジ部２４を有し、空気吸込穴２３は固定底部１５に形成される。空気吸込穴２３は、中心線方向Ｆにおいて、固定底部１５を挿通（貫通）して、第１液体吸込管２０内及びユニット固定座１０外側に連通される。
内ネジ部２４は固定円筒部１４内周に形成される。内ネジ部２４は、固定円筒部１４他端（固定フランジ部１６側）及び各ボス１８，１９間に配置される。
【００２０】
ユニット固定ナット１１は、図２、図５、図６及び図８に示すように、固定円筒部２５及び固定フランジ部２６を有し、これら部材を一体形成してなる。
固定円筒部２５は、押え突起２８を有し、押え突起２８は固定円筒部２５一端開口側に位置して、固定円筒部２５に一体形成される。押え突起２８は固定円筒部２５の中心線に直交する方向Ｇ（以下、「直交方向Ｇ」という。）において、固定円筒部２５周内向に突出している。
固定フランジ部２６は、固定円筒部２５他端開口側に位置して、固定円筒部２５に一体形成される。固定フランジ部２６は、直交方向Ｇにおいて、固定円筒部２５周外向に突出している。
【００２１】
ユニット固定ナット１１は、図２、図５、図６及び図８に示すように、外ネジ部２９及び内ネジ部３０を有し、外ネジ部２９は固定円筒部２５外周に形成される。外ネジ部２９は、固定フランジ部２６及び固定円筒部２５一端間に配置される。内ネジ部３０は、固定円筒部２５内周に形成される。内ネジ部３２は固定円筒部２５他端側に配置される。
【００２２】
ノズルユニット体１２は、図１乃至図６、及び図９及び図１０に示すように、上側・円形板部３３、下側・円形板部３４、中央管３５、第２液体吸込管３６、微細気泡ノズル７及びノズルジェット８を含んでなり、これら部材を一体形成して構成される。
【００２３】
上側及び下側・円形板部３３，３４は、図２、図５、図６、図９及び図１０に示すように、円形表面３３ａ，３４ａ及び円形裏面３３ｂ，３４ｂを有する。各円形板部３３，３４は、円形裏面３３ｂ，３４ｂを対向して並設される。各円形板部３３，３４は、円形板部３３，３４の中心線方向Ｈ（以下、「中心線方向Ｈ」という。）に間隔を隔てて配置される。
【００２４】
中央管３５は、図５、図６、図９及び図１０に示すように、円形板部３３，３４の中心線に位置して、各円形板部３３，３４間に配置される。中央管３５は、中心線方向Ｈにおいて、各円板板部３３，３４を挿通（貫通）して、各円形板部３３，３４の円形表面３３ａ，３４ａに開口される。中央管３５は、弁回動軸穴３８を形成する。
【００２５】
第２液体吸込管３６は、図５、図６、図９及び図１０に示すように、各円形板部３３，３４間に配置される。第２液体吸込管３６は、中心線を円形板部３３，３４の中心線に直交する交線上に位置して、円形板部３３，３４の中心線から間隔Ｂを隔てて配置される（図９参照）。第２液体吸込管３６は、複数の液体吸込穴３７，３７，…を有し、各液体吸込穴３７，３７，…は、中心線方向Ｈで上側・円形板部３３を挿通（貫通）している。第２液体吸込管３６は、中心線方向Ｈで下側・円形板部３４を挿通（貫通）して、円形表面３４ａから突出される。
【００２６】
微細気泡ノズル７は、図９に示すように、第２液体吸込管３６（交線）に対して、円形板部３３，３４の中心線周りの一方向に角度α（α＝１２０°〜１５０°）を隔てて配置される。
ジェットノズル８は、図９に示すように、第２液体吸込管３６（交線）に対して、円形板部３３，３４の中心線周りの他方向に角度−αを隔てて配置される。
各ノズル７，８は、円形板部３３，３４の中心線から半径Ｒの円周Ｐ上に配置され、各ノズル７，８間に交線を位置して配置される。
【００２７】
微細気泡ノズル７は、図２、図５、図６、図９及び図１０に示すように、各円形板部３３，３４間に配置され、中心線方向Ｈで下側・円板板部３４を挿通（貫通）している。微細気泡ノズル７は、下側・円形板部３４の円形表面３４ａに開口して、液体導入口７Ａを形成する。
微細気泡ノズル７は、中心線方向Ｈで上側・円形板部３３を挿通（貫通）して、円形表面３３ａ上方に延びている。
微細気泡ノズル７は、図２及び図６に示すように、抵抗板３９を有し、抵抗板３９は微細気泡ノズル７内に装着される。抵抗板３９は複数の小穴３９ａ，３９ａ，…を有する。各小穴３９ａ，３９ａ…は、中心線方向Ｈで抵抗板３９を挿通（貫通）して微細気泡ノズル７を連通する。
【００２８】
ジェットノズル８は、図２、図５、図６、図９及び図１０に示すように、各円形板部３３，３４間に配置され、中心線方向Ｈで下側・円形板部３４を挿通（貫通）している。ジェットノズル８は、下側・円形板部３４の円形表面３４ａに開口して、液体導入口８Ａを形成する。
ジェットノズル８は、図５に示すように、絞り穴８Ｂを有し、絞り穴８Ｂは中心線方向Ｈで上側・円形板部３３を挿通（貫通）して、円形表面３３ａに開口する。
ジェットノズル８は、中心線方向Ｈで上側・円形板部３３を挿通（貫通）して、円形表面３３ａ上方に延びている。
【００２９】
ノズルユニット体１２は、図２、図９及び図１０に示すように、複数の回動規制突起４１，４２を有する。各回動規制突起４１，４２は、下側・円形板部３４に一体形成され、中心線方向Ｈにおいて、円形表面３４ａから突出している。各回動規制突起４１，４２は、各ノズル７，８（各液体導入口７Ａ，８Ａ）を間に配置して、各ノズル７，８外側に形成される。
【００３０】
押えナット１３は、図２、図５、図６及び図１１に示すように、押え円筒部４３及び押えフランジ部４４を有し、これら部材を一体形成して構成される。
押えフランジ部４４は、押え円筒部３４一端開口側に位置して、押え円筒部４３に一体形成される。押えフランジ部４４は、押え円筒部４３の中心線に直交する方向Ｊにおいて、押え円筒部４３周外向に突出している。
押えナット１３は、外ネジ部４５を有し、外ネジ部４５は押え円筒部４３外周に形成される。
【００３１】
ユニット本体１は、図１乃至図６に示すように、ユニット固定座１０内にユニット固定ナット１１を装着する。ユニット固定ナット１１は、外ネジ部２９をユニット固定座１０の内ネジ部２４に螺着して、ユニット固定座１１に一体化される。
続いて、ノズルユニット体１２をユニット固定ナット１１内に装着する。ノズルユニット体１２は、下側・円形板部３４側から固定円筒部２５内に挿入して、下側・円形板部３４を固定円筒部２５の押え突起２８に当接する。ノズルユニット体１２は、シール材４６で液密にして、ユニット固定ナット１１の円筒部２５内に挿入される。
また、ノズルユニット本体１２において、第２液体吸込管３６内に第１液体吸込管２０を挿入する。第１液体吸込管２０は、複数のシール材４７，４７で液密にして、第２液体吸込管３６内に挿入される。
これにより、第２液体吸込管３６、第１液体吸込管２０及び液体排水経路２１は、相互に連通され、液体吸込流路９を構成する。液体吸込流路９は、第２液体吸込管３６、第１液体吸込管２０及び液体排水流路２１で形成される。
また、液体導入流路２１（交線）は、図３、図６に示すように、各ノズル７，８間の中央に位置され、固定円筒部２５の直交方向Ｅで液体導入室６に開口している。即ち、第２液体吸込管３６内に第１液体吸込管２０を挿入すると、各ノズル７，８は、各吸込管３６，２０で液体導入流路２１の両側に等間隔を隔てて位置決めされる。
そして、ユニット固定座１０及びノズルユニット体１２は、下側・円形板部３４及び固定底部１５間に液体導入室６を形成する。各ノズル７，８の液体導入口７Ａ，８Ａは、液体導入室６に開口され、中央管３５（弁回動軸穴３８）も液体導入室６に連通される。
続いて、押えナット１３をユニット固定ナット１１内に装着して、ノズルユニット体１２上に配置する。押えナット１３は、外ネジ部４５をユニット固定ネット１１の内ネジ部３０に螺着して、押え円筒部４３を上側・円形板部３３の円形表面３３ａに当接する。また、押えナット１３の押えフランジ部４４は、ユニット固定ナット１１の固定円筒部２５内に収納される。
これにより、ノズルユニット体１２は、押え突起２８及び押えナット１３で挟持され、各液体吸込管２０，３６でユニット固定座１０に対して回動不能にされる。
このように、ユニット固定座１０、ユニット固定ナット１１、ノズルユニット体１２及び押えナット１３を一体化すると、液体吸込流路９（各液体吸込管２０，３７）は、押えナット１３内側に配置され、押え円筒部４３を通してユニット本体１外側に連通される。また、微細気泡ノズル７は、押えナット１３内側に配置され、押え円筒部４３を通ってユニット本体１外側に突出される。ジェットノズル８は、押えナット１３内側に配置され、押え円筒部４３を通してユニット本体１外側に連通される。
【００３２】
＜ノズル切換弁＞
ノズル切換弁２は、図２、図５、図６、図１２乃至図１４に示すように、液体導入室６内に配置され、複数のノズル弁座５１，５２、切換弁ホルダ５３、切換弁体５４及び切換弁バネ５５（コイルバネ）を備える。
【００３３】
各ノズル弁座５１，５２は、図５、図６、図９及び図１０に示すように、微細気泡ノズル７内側及びジェットノズル８内側に形成される。ノズル弁座５１は、微細気泡ノズル７の液体導入室６側端（液体導入口７Ａ）に形成され、液体導入室６に開口する（図６参照）。
ノズル弁座５２は、ジェットノズル８の液体導入室６側端（液体導入口８Ａ）に形成され、液体導入室６に開口する（図５参照）。
【００３４】
切換弁ホルダ５３は、図５及び図６に示すように、液体導入室６内に配置される。切換弁ボルダ５３は、回動規制突起４１，４２間に位置して、下側・円形板部３４の円形表面３４ａ（各ノズル弁座５１，５２）に対向して並設される（図５、図６、図２２参照）。
切換弁ホルダ５３は、中心線方向Ｈにおいて、下側・円形板部３４に間隔を隔てて配置される。
切換弁ホルダ５３は、図２、図５、図６、図１３及び図１４に示すように、収納凹部５３Ａ及び液体導入穴５３Ｂを有する。収納凹部５３Ａは、円形板部３３，３４の中心線（弁回動軸３の中心軸線）から半径Ｒの円周Ｐ上に配置される。収納凹部５３Ａは、中心線方向Ｈにおいて、下側・円形板部３４側に開口している。液体導入穴５３Ｂは、収納凹部５３Ｂに連通される。液体導入穴５３Ｂは、中心線方向Ｈにおいて、切換弁ホルダ５３を挿通（貫通）して、ユニット固定座１０の固定底部１５側で液体導入室６に開口される。
【００３５】
切換弁体５４は、図５及び図６に示すように、下側・円形板部３４（各ノズル弁座５１，５２）及び切換弁ホルダ５３間に位置して、液体導入室６に配置される。
切換弁体５４は、操作ハンドル５の回動操作に基づいて、第１開閉位置Ｐ１又は第２開閉位置Ｐ２に切換えられる。切換弁体５４は、第１開閉位置Ｐ１において、液体導入室６から微細気泡ノズル７のノズル弁座５１に当接され、微細気泡ノズル７を液体導入室６から閉塞し、第２開閉位置Ｐ２において、液体導入室６からジェットノズル８のノズル弁座５２に当接され、ジェットノズル８を液体導入室６から閉塞する。
【００３６】
切換弁体５４は、図２、図５、図６及び図１２に示すように、液体導入室６内に配置され、液体導入流路２１上でノズルユニット体１２（下側・円形板部３４）間に位置している。切換弁体５４は、下側・円形板部３４（各ノズル弁座５１，５２）及び切換弁ホルダ５３間に配置される。切換弁体５４は、切換弁ホルダ５３の収納凹部５３Ａ内に摺動自在に挿入される。
切換弁体５４は、バネ収納凹部５４Ａを有し、バネ収納凹部５４Ａは液体導入穴５３Ｂ側に開口して、液体導入穴５３Ｂを通して液体導入室６に連通される。
【００３７】
切換弁バネ５５は、切換弁ホルダ５３の収納凹部５３Ａ及び切換弁体５４のバネ収納凹部５４Ａに配置される。切換弁バネ５５は、切換弁ホルダ５３及び切換弁体５４に当接して、切換弁体５４を下側・円形板部３４の円形表面３４ａ、及び各ノズル弁座５１，５２に押付ける（付勢）。
【００３８】
＜弁回動軸＞
弁回動軸３は、図２、図５、図６、図１３及び図１４に示すように、ノズルユニット体１２の弁回動軸穴３８（中央管３５）内に挿入され、ノズルユニット体１２に回動自在に支持される。弁回動軸３は、中心線方向Ｈにおいて、液体導入室６内に突出され、押えナット１３の押え円筒部４３を挿通してユニット本体１外側に延びている。
弁回動軸３は、液体導入室６内で切換弁ホルダ５３に一体形成（連結）され、切換弁ホルダ本体５３、切換弁体５４及び切換弁バネ５５を支持している。
【００３９】
弁回動軸３は、止め突起５６及び複数の止め環溝５７，５８を有する。止め突起５６は、切換弁ホルダ５３側（弁回動軸３一軸端側）に形成され、液体導入室６側から中央管３５一端（下側・円形板部３４）に当接される。
止め環溝５７は、弁回動軸３の他軸端側に形成され、ユニット本体１外側に配置される。止め環溝５８は、止め突起５６及び止め環溝５８間に形成され、ノズルユニット体１２の上側・円形板部３３上方に配置される。
【００４０】
弁回動軸３は、図５、図６、図１３及び図１４に示すように、複数の位置決め溝３Ａ，３Ａを有し、各位置決め溝３Ａ，３Ａは各止め環溝５７，５８間に配置される。
各位置決め溝３Ａ，３Ａは、弁回動軸３の軸中心線周り角度１８０°を隔てて配置され、軸中心線方向Ｋに延びて、弁回動軸３他軸端に挿通（貫通）している。
【００４１】
弁回動軸３は、止め環溝５８内にＣリング５９を装着することで、止め突起５６及びＣリング５９でノズルユニット本体１２（ユニット本体１）から抜出ることが規制される。
弁回動軸３は、止め突起５６を中央管３５一端（下側・円形板部３４）に当接することで、切換弁ホルダ５３を下側・円形板部３４の円形表面３４ａ（各ノズル弁座５１，５２）に対向させる。
【００４２】
＜操作ハンドル＞
操作バンドル５は、浴槽Ｙ内に配置される（図２０、図２１参照）。
操作ハンドル５は、図１乃至図６、図１５及び図１６に示すように、手動で回動操作されて、切換弁体５４（ノズル切換弁２）を第１開閉位置Ｐ１又は第２開閉位置Ｐ２に切換える。
操作ハンドル５は、把持円筒部６１、把持板部６２、内側円筒部６３及び内側底部６４を有し、これら部材を一体形成して構成される。
【００４３】
把持板部６２は、把持円筒部６１一端開口を閉塞する。把持板部６２は液体流通口６５を有し、液体流通口６５は円穴に形成され、把持円筒部６１の中心線に配置される。液体流通口６５は、把持円筒部６１の中心線方向Ｋ（以下、「中心線方向Ｌ」という。）において、把持板部６２を挿通（貫通）している。
【００４４】
内側円筒部６３は、液体流通口６５に連続して、把持板部６２に一体形成される。内側円筒部６３は、中心線方向Ｌにおいて、把持円筒部６１内側に突出している。内側底部６４は、液体流通口６５反対側の内側円筒部６３一端開口を閉塞している。これにより、操作ハンドル５は、内側円筒部６３及び内側底部６５で液体流通凹所６６を形成している。液体流通凹所６６は、円形凹所に形成され、液体流通口６５で開口している。
【００４５】
操作ハンドル５は、中央連結穴６７、複数の吸込小穴６８，６８，…、ノズル挿入長穴６９を有し、中央連結穴６７、各吸込小穴６８，６８，…及びノズル挿入長穴６９は内側底部６４に形成される。
中央連結穴６７は、把持円筒部６２（内側円筒部６４）の中心線に位置して、中心線方向Ｌで内側底部６４を挿通（貫通）している。
各吸込小穴６８，６８，…は、内側底部６４の下半分領域に配置され、中心線方向Ｌで内側底部６４を挿通（貫通）して液体流入凹所６６に連通される。
ノズル挿入長穴６８は、内側底部６４の上半分領域に配置され、中心線方向Ｌで内側底部６４を挿通（貫通）して液体流通凹所６６に連通される。ノズル挿入長穴６８は、半円長穴に形成される。
【００４６】
操作ハンドル５は、図５、図６、図１５及び図１６に示すように、複数のハンドル回動規制突起７０，７１及び連結筒部７２を有し、各ハンドル回動規制突起７０，７１はハンドル内側底部６４に一体形成される。各ハンドル回動規制突起７０，７１は、ノズル挿入長穴６９両端に位置して、内側底部６４下方に突出される。
連結筒部７２は中央連結穴６７に連続して内側底部６４に一体形成される。連結筒部７２は、中心線方向Ｌにおいて、内側底部６４下方に突出される。
連結円筒部７２は、複数の回動止め突起７３，７４を有し、各回動止め突起７３，７４は連結円筒部７０内周に形成される。各回動止め突起７３，７４は、把持円筒部６１の中心線周りに角度１８０°隔てて配置され、中心線方向Ｌに延びている。
操作ハンドル５は、図５、図６及び図１６に示すように、複数の案内突起７５，７５，…を有し、各案内突起７５，７５，…は内側底部６４に形成され、把持円筒部６１の中心線周りに等角度を隔てて配置される。各案内突起７５，７５，…は、中心線方向Ｌで内側底部６４下方に突出している。
【００４７】
操作バンドル５は、図５及び図６に示すように、ユニット本体１外側において、弁回動軸３に連結される。操作ハンドル５は、連結円筒部７２内に弁回動軸３他端軸側を挿入する。このとき、連結円筒部７２の各回動止め突起７３，７４は、弁回動軸３の各位置決め溝３Ａ，３Ａ内に挿入され、操作ハンドル５を弁回動軸３に回転不能に連結する。
操作バンドル５を弁回動軸３に連結すると、弁回動軸３の止め環溝５７は、操作バンドル５の液体流通凹所６６内に突出される。そして、Ｃリング７６を止め環溝５７内に装着して、Ｃリング７６で操作ハンドル５の抜けを規制する。
また、操作ハンドル５は、微細気泡ノズル７及びジェットノズル８をノズル挿入長穴６８内に挿入して、液体流通凹所６６内に突出させる。操作ハンドル５は、各吸込小穴６８，６８，…をノズルユニット体１２の第２液体吸込管３６（各吸込口３７）に対向させる。
更に、操作ハンドル５は、図５及び図６に示すように、ユニット固定ナット１１の固定フランジ部１６を把持円筒部６１内側に配置し、各案内突起７５，７５，…を押えナット１３の押えフランジ部４４上に当接する。
これにより、操作ハンドル５及び切換弁体５４は、弁回動軸３、切換弁ホルダ５３を通して連結され、ノズルユニット体１２（ユニット本体１）に回転自在に軸支される。
【００４８】
＜複合ノズルユニットの浴槽取付手順＞
次に、複合ノズルユニットＸを浴槽Ｙに取付ける手順について、図１７乃至図２２を参照して説明する。
【００４９】
先ず、複合ノズルユニットＸを浴槽Ｙに取付ける前に、図１７及び図１８に示すように、例えば、ノズル・弁組立体Ａを構成する。なお、ノズル・弁組立体Ａは、図１８に示すように、ノズル切換弁２、弁回動軸３、ユニット固定ンット１１、ノズルユニット体１２及び押えナット１３を一体に組付けした組立体である。以下、説明する。
（ｉ）ノズル切換弁２は、切換弁体５４及び切換弁バネ５５を切換弁ホルダ５３の収納凹部５３Ａ内に配置する。切換弁体５４は、切換弁バネ５５をバネ収納凹部５４Ａ内に収納する。切換弁バネ５５は切換弁ホルダ５３及び切換弁体５４に当接される［図１７（ａ）参照］。
（ｉｉ）弁回動軸３は、ノズル切換弁２と共に、ノズルユニット体１２に組付けられる。
弁回動軸３は、下側・円形板部３４側から弁回動軸穴３８（中央管３５）に挿入される。弁回動軸３は、切換弁ボルダ５３及び切換弁体５４を各回動規制突起４１，４２間に配置して、各止め環溝５７，５８側から弁回動穴３８に挿入され、止め突起５６を中央管３５一端（下側・円形板部３４）に当接する（図１７参照）。
これにより、切換弁ホルダ５３は、下側・円形板部３４に間隔を隔てて配置され、切換弁体５４を下側・円形板部３４の円形表面３４ａに押付ける。切換弁体５４は、下側・円形板部３４の押付けに伴って、切換弁バネ５５を圧縮する。
また、弁回動軸３において、各止め環溝５７，５８は、弁回動軸穴３８を挿通して、ノズルユニット体１２外側に突出される。
続いて、弁回動軸３は、Ｃリンク５９を止め環溝５８に装着することで、ノズルユニット体１２に回動自在に軸支される。また、弁回動軸３は、止め突起５６及びＣリング５９で抜止めされる。
これより、弁回動軸３及びノズル切換弁２（切換弁体５４）は、ノズルユニット体１２に回動自在として組付けられる。
（ｉｉｉ）ノズルユニット体１２は、ノズル切換弁２及び弁回動軸３を組付けると、ユニット固定ナット１１に装着される（図１８参照）。
ノズルユニット体１２は、切換弁ホルダ５３（下側・円形板部３４）側から固定円筒部２５内に挿入され、固定円筒部２５の押え突起２８に当接される。
（ｉｖ）押えナット１３は、ユニット固定ナット１１に装着される（図１８参照）。
押えナット１３は、押え円筒部４３の外ネジ部４５を固定円筒部２５の内ネジ部３０に螺着する。
押えナット１３は、押え円筒部４３を上側・円形板部３３に当接し、押えフランジ部４４を固定円筒部２５内に収納する。このとき、微細気泡ノズル７、ジェットノズル８及び弁回動軸３は、押え円筒部４３内側に配置される。
これにより、ノズル切換弁２、弁回動軸３、ユニット固定ナット１１、ノズルユニット体１２及び押えナット１３は一体に組付けられ、ノズル・弁等組立体Ａを構成する。
【００５０】
次に、ノズル・弁組立体Ａ及びユニット固定座１０を浴槽Ｙに取付ける。以下、説明する。
なお、浴槽Ｙは、図１９に示すように、１のノズル取付穴１００を有し、ノズル取付穴１００は浴槽Ｙの内壁Ｙ１を挿通（貫通）している。
（ａ）ユニット固定座１０は、図１９に示すように、浴槽Ｙ外側に配置される。
ユニット固定座１０は、固定フランジ部１６をノズル取付穴１００周りに配置する。固定フランジ部１６は、円環パッキン１０１を介在して浴槽Ｙの内壁１に当接される。
（ｂ）ノズル・弁組立体Ａは、浴槽Ｙ内側に配置される。
ノズル・弁組立体Ａは、図１９に示すように、ユニット固定ナット１１の固定円筒部２５（切換弁ホルダ５３）側からノズル取付穴１００に挿入され、更にユニット固定座１０内に装着される。
このとき、ノズルユニット体１２の第２液体吸込管３６内に、ユニット固定座１０の第１液体吸込管２０を挿入し、更に、ユニット固定ナット１１の外ネジ部２９をユニット固定座１０の内ネジ部２４に螺着する。
（ｃ）続いて、ユニット固定ナット１１を回転することで、ノズル・弁組立体Ａをユニット固定座１０内に挿入する。
ノズル・弁組立体Ａにおいて、ユニット固定ナット１１の固定フランジ部２６は、ユニット固定ナット１１の回転に伴って、浴槽Ｙの内壁Ｙ１に当接される。固定フランジ部２６は、複数の円環パッキン１０２を介在して浴槽Ｙの内壁Ｙ１に当接される。
これにより、ユニット固定座１０の固定フランジ部１６及びユニット固定ナット１１の固定フランジ部２６は、浴槽Ｙの内壁Ｙ１を挟み込み、ユニット固定座１０及びノズル・弁組立体Ａを浴槽Ｙに取付ける。
（ｄ）操作ハンドル５は、図２０に示すように、浴槽Ｙ内側に配置される。操作ハンドル５は、連結円筒部７２に弁回動軸３を挿入する。このとき、連結円筒部７２の回動止め突起７３，７４は、弁回動軸３の各位置決め溝３Ａ，３Ａ内に挿入され、操作ハンドル５を回動不能として弁回動軸３に連結する。また、各案内突起７５，７５，…は、押えナット１３の押えフランジ部４４に当接される。
続いて、Ｃリング７５を弁回動軸３の止め環溝５７内に装着して、操作バンドル５を抜止めする。
これにより、操作バンドル５は、浴槽Ｙ内に配置され、手動で回動操作される。
各ノズル７，８は、操作バンドル５のノズル挿入長穴６９を通して液体流通凹所６６内に配置され、複数の吸込小穴６８，６８，…は第２液体吸込管３６の各液体吸込穴３７，３７，…に対向される。
また、ユニット固定座１０の固定底部１５及びノズルユニット体１２の下側・円形板部３４間に液体導入室６が形成され、第１及び第２液体吸込管２０，３６及び液体排水流路２２で液体吸込流路９が形成される。
また、切換弁ホルダ５３、切換弁体５４及び切換弁バネ５５（ノズル切換弁２）は、液体導入室６に配置される。切換弁体５４は、液体導入流路２１及びノズルユニット体１２（下側・円形板部３４）間に配置される。更に、各ノズル７，８は、各液体吸込管２０，３６の挿入によって、図３に示すように、各ノズル７，８間の中央に液体導入流路２１を配置して位置決めされ、各ノズル弁座５１，５２は液体導入室６に開口される。
【００５１】
＜複合ノズルユニットのノズル切換＞
次に、複合ノズルユニットＸにおいて、第１開閉位置Ｐ１又は第２開閉位置Ｐ２の切換動作について、図１乃至図６、及び図２０乃至図２５を参照して説明する。
なお、説明の便宜上、ノズル切換弁２は、図２２に示すように、第１開閉位置Ｐ１にあるものとし、切換弁体５４は液体導入室６から微細気泡ノズル７のノズル弁座５１に当接して微細気泡ノズル７を液体導入室６から閉塞している。ジェットノズル８は、図２２に示すように、液体導入室６に連通している。
【００５２】
複合ノズルユニットＸの第１開閉位置Ｐ１において、入浴者は、図２５（ａ）に示すように、操作バンドル５を把持して、操作バンドル５を正回転する。
操作ハンドル５の正回転に伴って、弁回動軸３及び切換弁ホルダ５３も回転され、切換弁体５４は切換弁バネ５５を圧縮しつつ収納凹部５３Ａ内に摺動して微細気泡ノズル７内から抜出され、ノズル弁座５１から離間する。これにより、微細気泡ノズル７は、液体導入室６に連通される［図２２及び図２３参照］。
なお、操作ハンドル５は、押えナット１３の押えフランジ部４４上に当接する各案内突起７５，７５，…で案内される。
【００５３】
ノズル切換弁２において、切換弁体５４は、操作バンドル５（弁回動軸３、切換弁ホルダ５３）の正回転に伴って、図２３に示すように、切換弁バネ５５のバネ力によって下側・円形板部３４の円形表面３４ａに当接／押付けられ、円周Ｐ上に沿って旋回される。このとき、切換弁体５４は、下側・円形板部３４の円形表面３４ａに当接して案内（ガイド）されるので、正回転中に切換弁ホルダ５３の収納凹部５３Ａから抜出ない。
【００５４】
続いて、切換弁体５４は、図５及び図２４に示すように、ジェットノズル８内に挿入され、ノズル弁座５２に当接される。このとき、切換弁体５４は、切換弁バネ５５のバネ力でノズル弁座５２に押付けられるので、ジェットノズル８を液体導入室６から液密に閉塞する。なお、ジェットノズル８内には切換弁体５４の一部が挿入される。
これにより、切換弁体５４（ノズル切換弁２）は、操作ハンドル５の正回転操作に基づいて、第１開閉位置Ｐ１から第２開閉位置Ｐ２に切換えられ、ジェットノズル８を液体導入室６から閉塞し、微細気泡ノズル７を液体導入室６に連通する。
【００５５】
また、切換弁ホルダ５３は、図２４に示すように、第２開閉位置Ｐ２において、回転規制突起４２に当接し、切換弁ホルダ５３．弁回動軸３（操作バンドル５）の正回転は回動規制突起４２で規制される。
更に、第２開閉位置Ｐ２において、操作バンドル５の回動止め突起７０（ノズル挿入長穴６９一端）は、図２５（ａ）に示すように、微細気泡ノズル７に当接し、操作ハンドル５の正回転を規制する。
これにより、切換弁体５４が正回転し過ぎるのを制限して、切換弁体５４をジェットノズル８のノズル弁座５２から離間することを規制でき、第２開閉位置Ｐ２に保持する。
【００５６】
第２開閉位置Ｐ２において、図５及び図２４に示すように、空気溶解液体を液体導入流路２１から液体導入室６に導入する。このとき、空気溶解液体は、各ノズル７，８間の中央に位置する液体導入流路２１から一方側の微細気泡ノズル７に流入するので、他方側にあるジェットノズル８を閉塞する切換弁体５４に影響を及ぼすことを低減でき、これにより、切換弁体５４はジェットノズル８のノズル弁座５２から離間しない。
微細気泡ノズル７は、空気溶解液体を抵抗板３９の各小穴３９ａ，３９ａ，…を通して浴槽Ｙに減圧噴出して浴槽Ｙの液体内で微細気泡（３０〜５０μｍの気泡）を発生する（図２０及び図２１参照）。
また、複合ノズルユニットＸにおいて、空気溶解液体（高圧の空気溶解液体）を液体導入室６に導入すると、空気溶解液体は切換弁ホルダ５３の液体導入穴５３Ｂを通して、切換弁体５４のバネ収納凹部５４Ａ内に導入される。
これにより、ノズル切換弁２において、切換弁体５４は、切換弁バネ５５のバネ力及び空気溶解液体の圧力でノズル弁座５２に押付けられるので、液体導入室６に導入される空気溶解液体の影響を受けても、ジェットノズル８のノズル弁座５２から離間しない（ジェットノズル８内から抜出ない）。
また、切換弁体５４は、液体導入流路６上に配置され、空気溶解液体の流れ方向（液体導入室６から微細気泡ノズル７に流れる方向）である液体導入室６からジェットノズル８のノズル弁座５２に当接されるので、空気溶解液体の流れでジェットノズル８のノズル弁座５２から離間しない。
【００５７】
複合ノズルユニットＸの第２開閉位置Ｐ２において、入浴者は、図２５（ｂ）に示すように、操作ハンドル５を把持して、操作ハンドル５を逆回転する。
操作ハンドル５の逆回転に伴って、弁回動軸３及び切換弁ボルダ５３も回転され、切換弁体５４は切換弁バネ５５を圧縮しつつ収納凹部５３Ａ内に摺動してジェットノズル８内から抜出され、ノズル弁座５２から離間する。これにより、ジェットノズル８は、液体導入室６に連通される［図２３及び２４参照］。
【００５８】
ノズル切換弁２において、切換弁体５４は、操作ハンドル５（弁回動軸３、切換弁ホルダ５３）の逆回転に伴って、図２３に示すように、切換弁バネ５５のバネ力によって下側・円形板部３４の円形表面３４ａに当接／押付けられ、円周Ｐ上に沿って旋回される。このとき、切換弁体５４は、下側・円形板部３４の円形表面３４ａに当接して案内（ガイド）されるので、逆回転中に切換弁ホルダ５３の収納凹部５３Ａから抜出ない。
【００５９】
続いて、切換弁体５４は、図２２に示すように、微細気泡ノズル７内に挿入され、ノズル弁座５１に当接される。このとき、切換弁体５４は、切換弁バネ５５のバネ力でノズル弁座５１に押付けられるので、微細気泡ノズル７を液体導入室６から液密に閉塞する。なお、微細気泡ノズル８内には切換弁体５４の一部が挿入される。
これにより、切換弁体５４（ノズル切換弁２）は、第２開閉位置Ｐ２から第１開閉位置Ｐ１に切換えられ、微細気泡ノズル７を液体導入室６から閉塞し、ジェットノズル８を液体導入室６に連通する。
【００６０】
また、切換弁ホルダ５３は、第１開閉位置Ｐ１において、回動規制突起４１に当接し、切換弁ホルダ５３、弁回動軸３（操作バンドル５）の逆回転は回動規制突起４１で規制される。
更に、第１開閉位置Ｐ１において、操作バンドル５の回動規制突起５２（ノズル挿入長穴６９他端）は、ジェットノズル８に当接し、操作ハンドル５の逆回転を規制する。
これにより、切換弁体５４が逆回転し過ぎるのを制限して、切換弁体５４を微細ノズル７のノズル弁座５１から離間することを防止でき、第１開閉位置Ｐ１に保持する。
【００６１】
第１開閉位置Ｐ１において、高圧流体を液体導入流路２１から液体導入室６に導入する。高圧液体は、各ノズル７，８間の中央に位置する液体導入流路２１から他方側のジェットノズル８に流入するので、一方側にある微細気泡ノズル７を閉塞する切換弁体５４に影響を及ぼすことを低減でき、これにより、切換弁体５４は微細気泡ノズル７ノズル弁座５１から離間しない。ジェットノズル８は、高圧液体を浴槽Ｙに噴出する（図２０及び図２１参照）。
また、複合ノズルユニットＸにおいて、高圧液体を液体導入室６に導入すると、高圧液体は切換弁ホルダ５３の液体導入穴５３Ｂから切換弁体５４のバネ凹部５４Ａに導入される
これにより、ノズル切換弁２において、切換弁体５４は、切換弁バネ５５のバネ力及び高圧液体の圧力でノズル弁座５１に押付けられるので、液体導入室６に導入される高圧液体の影響を受けても、微細気泡ノズル７のノズル弁座５１から離間しない（微細気泡ノズル８内から抜出ない）。
また、切換弁体５４は、液体導入流路６上に配置され、高圧液体の流れ方向（液体導入室６からジェットノズル８に流れる方向）である液体導入室６から微細気泡トノズル７のノズル弁座５１に当接されるので、高圧液体の流れで微細気泡ノズル７のノズル弁座５１から離間しない。
【００６２】
また、浴槽Ｙの液体は、複合ノズルユニットＸの液体流通凹所６６、各吸込小穴６８，６８，…を通して液体吸込流路９内に流入し、液体吸込流路９を通して複合ノズルユニットＸ外側に排水される。
【００６３】
複合ユニットＸでは、ユニット本体１に微細気泡ノズル７、ジェットノズル８及び液体吸込流路９を一体に有しているので、浴槽Ｙには単一のノズル取付穴１００を形成して、ユニット本体１をノズル取付穴１００に取付けるだけで、微細気泡ノズル７、ジェットノズル８及び液体吸込流路９を浴槽Ｙに設置でき、ノズル等の設置工数を低減できる。
【００６４】
＜浴槽システム＞
次に、浴槽システムＺについて、図１乃至図２６を参照して説明する。
なお、図２６において、図１乃至図２５と同一符号は同一部材、同一構成であるので、その詳細な説明は省略する。
【００６５】
図２６において、浴槽システムＺは、浴槽Ｙ、複合ノズルユニットＸ、複数の管路１１１〜１１４、循環ポンプ１２１、気液溶解タンク１３１、第１方向切換弁１４１、第２方向切換え弁１４２、操作パネル１５１及び制御装置１５２と、を含んで構成される。
【００６６】
浴槽Ｙは、浴室（図示しない）内に配置され、液体（湯、水等）を貯留している。
【００６７】
複合ノズルユニットＸは、図１乃至図２５で説明したと同一構成であって、液体導入室６、微細気泡ノズル７、ジェットノズル８及び液体吸込流路９を備え、ユニット本体１、ノズル切換弁２、弁回動軸３及び操作バンドル５と、を含んで構成される。複合ノズルユニットＸは、第１開閉位置Ｐ１又は第２開閉位置Ｐ２に切換える。
複合ノズルユニットＸは、図１７乃至図２０で説明したと同様に、浴槽Ｙの内壁Ｙ１（ノズル取付穴１００）に取付けられる。
【００６８】
液体吸込管路１１１は、複合ノズルユニットＸを通して、浴槽Ｙの液体を吸込んで取出す。液体吸込管路１１１は、図２０に示すように、複合ノズルユニットＸの液体排水ボス１９に取付けされ、液体排水流路２２に連通される。
これにより、複合ノズルユニットＸにおいて、液体吸込流路９は液体吸込管路１１１に連結される。
【００６９】
液体導入管路１１２は、空気溶解液体又は高圧液体を複合ノズルユニットＸに導入する。液体導入管路１１２は、図２０に示すように、複合ノズルユニットＸの液体導入ボス１８に取付けられ、液体導入流路２１に連結される。
これにより、複合ノズルユニットＸにおいて、液体導入室６は液体導入管路１１２に連結される。
【００７０】
第１分岐循環管路１１３は、図２６に示すように、液体吸込管路１１１の分岐点１１１Ａから分岐され、液体導入管路１１２の合流点１１２Ａに連結される。
第２分岐循環管路１１４は、図２６に示すように、液体吸込管路１１１の分岐点１１１Ａから分岐され、液体導入管路１１２の合流点１１２Ａに連結される。
【００７１】
循環ポンプ１２１は、液体吸込管路１１１に配置される。循環ポンプ１２１は、複合ノズルユニットＸ（液体吸込流路９）及び液体吸込管路１１１を通して、浴槽Ｙの液体を吸入する。循環ポンプ１２１は、吸入した液体を圧縮し、高圧液体を液体吸込管路１１１の分岐点１１１Ａ側に吐出する。
【００７２】
気液溶解タンク１３１は、空気を高圧液体に溶解する。気液溶解タンク１３１は、図２６に示すように、第２分岐循環管路１１４に配置される。気液溶解タンク１３１は、空気を内部に導入する空気弁１３１Ａを有する。
【００７３】
第１方向切換弁１４１は、図２６に示すように、液体吸込管路１１１の分岐点１１１Ａに配置される。第１方向切換弁１４１は、液体吸込管路１１１及び第１分岐循環管路１１３の連結、又は液体吸込管路１１１及び第２分岐循環管路１１４の連結に切換える。
第２方向切換弁１４２は、図２６に示すように、液体導入管路１１２の合流点１１２Ａに配置される。第２方向切換弁１４２は、第１分岐循環管路１１３及び液体導入管路１１２の連結、又は第２分岐循環管路１１４及び液体導入管路１１２の連結に切換える。
【００７４】
操作パネル１５１は、浴室（図示しない）に配置され、入浴者の操作で微細気泡モード又はジェットモードを選択する。
微細気泡モードは、浴槽Ｙの液体内に微細気泡を発生するモードであり、ジェットモードは浴槽Ｙに高圧液体を噴出するモードである。
【００７５】
制御装置１５２は、浴槽システムＺ全体を制御し、微細気泡モード又はジェットモードを実行する。制御装置１５２は、循環ポンプ１２１に接続され、循環ポンプ１２１の駆動／停止を制御する。制御装置１５２は、第１及び第２方向切換弁１４１，１４２に接続され、各方向切換弁１４１，１４２の切換えを制御する。制御装置１５１は操作パネル１５１に接続される。
【００７６】
＜浴槽システムの運転＞
（１）微細気泡モード
入浴者は、操作パネル１５１を操作して、微細気泡モードを選択する。操作パネル１５１は、微細気泡信号を制御装置１５２に出力する。
また、入浴者は、図２２乃至図２５で説明したと同様に、複合ノズルユニットＸの操作ハンド５を把持して、操作ハンドル５を正回転することで、切換弁体５４（ノズル切換弁２）を第１開閉位置Ｐ１から第２開閉位置Ｐ２に切換える。
これにより、複合ノズルユニットＸにおいて、切換弁体５４（ノズル切換弁２）は、ジェットノズルユニット８を液体導入室６から閉塞し、微細気泡ノズル７を液体導入室６に連通する。
【００７７】
制御装置１５２は、微細気泡信号を入力すると、循環ポンプ１２１を駆動する。制御装置１５２は、第１及び第２方向切換弁１４１，１４２に微細気泡切換信号を出力する。
第１方向切換弁１４１は、微細気泡切換信号に基づいて、液体吸込管路１１１及び第２分岐循環管路１１４を連結する。
第２方向切換弁１４２は、微細気泡切換信号に基づいて、第２分岐循環管路１１４及び液体導入管路１１２を連結する（図２６参照）。
【００７８】
循環ポンプ１２１の駆動に伴って、浴槽Ｙの液体は、図２０に示すように、複合ノズルユニットＸの液体流通凹所６６（操作バンドル５）、各吸込小穴６８，６８，…を通して液体吸込流路９に吸込まれる。
液体吸込流路９に流入した（吸込んだ）液体は、図２０及び図２６に示すように、複合ノズルユニットＸの空気吸込穴２３から空気を吸込みつつ、液体吸込管路１１１を通して循環ポンプ１２１に吸入される。
循環ポンプ１２１は、吸入した液体を圧縮し、高圧液体を液体吸込管路１１１の分岐点１１１Ａ側に吐出する。
【００７９】
循環ポンプ１２１から吐出された圧流体は、第１方向切換弁１４１及び第２分岐循環管路１１４を通して、気液溶解タンク１３１に導入される。また、気液溶解タンク１３１には、空気弁１３１Ａを通して空気が導入される。
気液溶解タンク１３１は、空気を高圧液体に溶解して、空気溶解液体（高圧の空気溶解液体）を生成する。
【００８０】
空気溶解液体は、気液溶解タンク１３１から第２分岐循環管路１１４に流出され、第２方向切換弁１４２及び液体導入管路１１２を通して複合ノズルユニットＸの液体導入室６に導入される（図２０及び図２４参照）。
【００８１】
続いて、空気溶解液体は、図２４に示すように、液体導入室６から微細気泡ノズル７内に流入し、微細気泡ノズル７で微細気泡を発生して浴槽Ｙの液体中に噴出される。
また、液体導入室６に導入された空気溶解液体は、切換弁ホルダ５３の液体導入穴５３Ｂからバネ収納凹部５４Ａに導入され、切換弁体５４に作用する。これにより、切換弁体５４は、切換弁バネ５５のバネ力及び空気溶解液体の圧力によってジェットノズル８のノズル弁座５２に押付けられ、ジェットノズル８のノズル弁座５２から離間することなく、ジェットノズル８を液体導入室６から閉塞する。
【００８２】
（２）ジェットモード
入浴者は、操作パネル１５１を操作して。ジェットモードを選択する。操作パネル１５１は、ジェット信号を制御装置１５２に出力する。
また、入浴者は、図２２乃至図２５で説明した同様に、複合ノズルユニットＸの操作バンドル５を把持して、操作ハンドル５を逆回転することで、切換弁体５４（ノズル切換弁２）を第２開閉位置Ｐ２から第１開閉位置Ｐ１に切換える。
これにより、複合ノズルユニットＸの切換弁体５４（ノズル切換弁２）は、微細気泡ノズル７を液体導入室６から閉塞し、ジェットノズル６を液体導入室６に連通する（図５、図６、図２０及び図２２参照）。
【００８３】
制御装置１５２は、ジェット信号を入力すると、循環ポンプ１２１を駆動する。制御装置１５２は、第１及び第２方向切換弁１４１，１４２にジェット切換信号を出力する。
第１方向切換弁１４１は、ジェット信号に基づいて、液体吸込管路１１１及び第１分岐循環管路１１３を連通する。
第２方向切換弁１４２は、ジェット信号に基づいて、第１分岐循環管路１１３及び液体導入管路１１２を連結する。
【００８４】
循環ポンプ１２１の駆動に伴って、浴槽Ｙの液体は、図２０に示すように、複合ノズルユニットＸの液体流通凹所６６（操作バンドル５）各吸込小穴６８，６８，…を通して液体吸込流路９に吸込まれる。
液体吸込流路９に流入した（吸込んだ）液体は、図２０及び図２６に示すように、複合ノズルユニットＸの空気吸込穴２３から空気を吸込みつつ、液体吸込管路１１１を通して循環ポンプ１２１に吸入される。
循環ポンプ１２１は、吸入した液体を圧縮し、高圧液体を液体吸込管路１１１の分岐点１１１Ａ側に吐出する。
【００８５】
循環ポンプから吐出された高圧液体は、第１方向切換弁１４１、第１分岐循環管路１１３、第２方向切換弁１４２及び液体導入管路１１２を通して、複合ノズルユニットＸの液体導入室６に導入される（図６、図２０及び図２２参照）。
【００８６】
続いて、高圧液体は、図６及び図２２に示すように、液体導入室６からジェットノズル８内に流入し、ジェットノズル８から浴槽Ｙに噴出される。
また、液体導入室６に導入された高圧液体は、図２０に示すように、切換弁ホルダ５３の液体導入穴５３Ｂからバネ収納凹部５４Ａに導入され、切換弁体５４に作用する。これにより、切換弁体５４は、切換弁バネ５５のバネ力及び高圧液体の圧力によって微細気泡ノズル７のノズル弁座５１に押付けられ、微細気泡ノズル７のノズル弁座５１から切換弁体５４が離間することなく、微細気泡ノズル７を確実に液体導入室６から閉塞する。
【００８７】
本発明に係る複合ノズルユニットＸでは、浴槽取付手順において、浴槽Ｙに取付ける前に、ノズル・弁組立体Ａに組立てて、ユニット固定座１０及びノズル・弁組立体Ａを浴槽Ｙに取付けることについて説明したが、これに限定されない。
例えば、ノズル・弁組立体Ａに組立てることなく、ユニット固定ナット１１をユニット固定座１０内に装着する。ユニット固定ナット１１を回転して、各固定フランジ部１６，２６で浴槽Ｙの内壁Ｙ１を挟み込むことで、ユニット固定座１０及びユニット固定ナット１１を浴槽Ｙに取付ける。続いて、ノズル切換弁２をノズルユニット体１２に組付け（図１７参照）、ノズル切換弁２、ノズルユニット体１２及び押えナット１３をユニット固定ナット１１内に装着することで、ノズル切換弁２、ノズルユニット体１２及び押えナット１３をユニット固定ナット１１に組立てることも可能である。
【００８８】
本発明に係る複合ノズルユニットＸでは、ユニット固定ナット１１をユニット固定座１０に対して、正回転／逆回転することで、各固定フランジ部１６，２６間の間隔を調整できる。これにより、ユニット固定座１０及びユニット固定ナット１１は、浴槽Ｙの内壁Ｙ１の厚寸法に応じて、内壁Ｙ１を挟み込むことができる。
【００８９】
本発明に係る複合ノズルユニットＸは、操作バンドル５、弁回動軸３及び切換弁ホルダ５３（切換弁体５４）を回転することで、ノズル切換弁２を第１開閉位置Ｐ１又は第２開閉位置Ｐ２に切換える構成について説明したが、これに限定されない。例えば、ノズルユニット体１２をユニット固定座１０に対して回転自在に軸支し、弁回動軸３をノズルユニット体１２に回転不能に固定する。また、切換弁ホルダ５３をユニット固定座１０に回転不能に固定する。これにより、操作バンドル５の正回転又は逆回転によって、ノズルユニット体１２の各ノズル７，８のノズル弁座５１，５２を切換弁体５４に対して回動することで、切換弁体５４（ノズル切換弁２）を第１開閉位置Ｐ１又は第２開閉位置Ｐ２に切換える構成を採用できる。
また、操作ハンドル５及び切換弁ホルダ５３（切換弁体５４，切換弁バネ５５）を、回動するのではなく、円形板部３３，３４の直交方向Ｉに直線移動して、切換弁体５４を各ノズル７，８の一方のノズル弁座５１，５２に当接させることで、切換弁体５４（ノズル切換弁２）を第１開閉位置Ｐ１又は第２開閉位置Ｐ２に切換える構成も採用できる。
【００９０】
本発明の複合ノズルユニットＸにおいて、ユニット固定座１０、ユニット固定ナット１１、ノズルユニット体１２、ノズル切換弁２（切換弁ホルダ５３、切換弁体５４）、弁回動軸３及び操作バンドル５は、合成樹脂（例えば、変性ポリフェニレンエーテル樹脂）で形成することが好ましい。これにより、複合ノズルユニットＸの軽量化を図ることができ、液体による腐食を防止できる。
【産業上の利用可能性】
【００９１】
本発明は、微細気泡又は高圧液体を浴槽の液体中に噴出するノズルに好適である。
【符号の説明】
【００９２】
Ｘ  複合ノズルユニット
１  ユニット本体
２  ノズル切換弁
５  操作ハンドル
７  微細気泡ノズル
８  ジェットノズル
９  液体吸込流路
５１  ノズル弁座
５２  ノズル弁座
５３  切換弁ホルダ
５４  切換弁体
５５  切換弁バネ（コイバネ）
Ｐ１  第１開閉位置
Ｐ２  第２開閉位置
【図１】
0005611289.tif 000002
【図２】
0005611289.tif 000003
【図３】
0005611289.tif 000004
【図４】
0005611289.tif 000005
【図５】
0005611289.tif 000006
【図６】
0005611289.tif 000007
【図７】
0005611289.tif 000008
【図８】
0005611289.tif 000009
【図９】
0005611289.tif 000010
【図１０】
0005611289.tif 000011
【図１１】
0005611289.tif 000012
【図１２】
0005611289.tif 000013
【図１３】
0005611289.tif 000014
【図１４】
0005611289.tif 000015
【図１５】
0005611289.tif 000016
【図１６】
0005611289.tif 000017
【図１７】
0005611289.tif 000018
【図１８】
0005611289.tif 000019
【図１９】
0005611289.tif 000020
【図２０】
0005611289.tif 000021
【図２１】
0005611289.tif 000022
【図２２】
0005611289.tif 000023
【図２３】
0005611289.tif 000024
【図２４】
0005611289.tif 000025
【図２５】
0005611289.tif 000026
【図２６】
0005611289.tif 000027